(57)【要約】【課題】超音波プローブを接続する超音波診断装置によらず、超音波プローブのユーザが容易に設定項目を設定することができるよう支援すること。【解決手段】実施形態に係る超音波診断装置は、取得部と、設定部とを備える。取得部は、ユーザに関連付けて設定値により構成されるプリセット情報を記憶した記憶部を有する超音波プローブとデータ送受信可能に接続されると、超音波プローブの記憶部に記憶されたプリセット情報を取得する。設定部は、超音波プローブの記憶部から取得したプリセット情報にもとづいて自装置の設定項目の設定を行う。【選択図】  図１
2019103567.tif 000002
【特許請求の範囲】
【請求項１】
ユーザに関連付けて設定値により構成されるプリセット情報を記憶した記憶部を有する超音波プローブとデータ送受信可能に接続されると、前記超音波プローブの前記記憶部に記憶されたプリセット情報を取得する取得部と、
前記超音波プローブの前記記憶部から取得したプリセット情報にもとづいて自装置の設定項目の設定を行う設定部と、
を備えた超音波診断装置。
【請求項２】
前記超音波プローブの前記記憶部から取得したプリセット情報を示す画像を生成して表示部に表示させる画像生成部、
をさらに備えた請求項１記載の超音波診断装置。
【請求項３】
前記超音波プローブの前記記憶部は、
複数のユーザのそれぞれに関連付けられたプリセット情報を記憶し、
前記画像生成部は、
前記複数のユーザのいずれかの選択を受け付けるための画像を生成して前記表示部に表示し、
前記設定部は、
前記表示部に表示された画像にもとづいて入力部を介して選択されたユーザに関連付けられたプリセット情報にもとづいて自装置の設定項目の設定を行う、
請求項２記載の超音波診断装置。
【請求項４】
前記超音波プローブの前記記憶部は、
さらに被検体に関連付けてプリセット情報を記憶し、
前記画像生成部は、
前記被検体に関連付けられたプリセット情報を示す画像を生成して前記表示部に表示する、
請求項２または３に記載の超音波診断装置。
【請求項５】
前記超音波プローブの前記記憶部は、
前記被検体に関連付けて前記被検体の過去の検査データを記憶し、
前記取得部は、
プリセット情報とともに前記過去の検査データを取得し、
前記画像生成部は、
前記被検体に関連付けられた前記過去の検査データを示す画像を生成して前記表示部に表示する、
請求項４記載の超音波診断装置。
【請求項６】
前記超音波プローブの前記記憶部は、
ユーザごとに複数の被検体のそれぞれに関連付けられたプリセット情報を記憶するとともに、前記複数の被検体に関連付けられたプリセット情報のそれぞれに対して、ユーザが行なう検査の順序の情報を関連付けて記憶し、
前記取得部は、
前記超音波プローブの前記記憶部から前記検査の順序の情報が関連付けられたプリセット情報を取得し、
前記設定部は、
前記検査の順序の情報にもとづいて自装置の設定項目の設定を行う、
請求項４または５に記載の超音波診断装置。
【請求項７】
前記超音波プローブの前記記憶部にユーザに関連付けて記憶されたプリセット情報は、
計測条件に関する項目、画質条件に関する項目、および表示画面のユーザインターフェースに関する項目の少なくとも１つの設定値を含む、
請求項１ないし６のいずれか１項に記載の超音波診断装置。
【請求項８】
前記超音波プローブの前記記憶部は、
プリセット情報の１つをデフォルトプリセットとして記憶し、
前記設定部は、
前記取得したプリセット情報に前記デフォルトプリセットが含まれていると、前記デフォルトプリセットにもとづいて自装置の設定項目の設定を行う、
請求項１ないし７のいずれか１項に記載の超音波診断装置。
【請求項９】
前記超音波プローブの前記記憶部に対する新たなプリセット情報の登録、および前記超音波プローブの前記記憶部に記憶されたプリセット情報の修正、の少なくとも一方を行なう登録部、
をさらに備えた請求項１ないし８のいずれか１項に記載の超音波診断装置。
【請求項１０】
前記取得部と前記登録部とは、
自装置の前記記憶部に記憶されたプリセット情報と、前記超音波プローブの前記記憶部に記憶されたプリセット情報とを同期させるよう、自装置の前記記憶部と前記超音波プローブの前記記憶部とを制御する、
請求項９記載の超音波診断装置。
【請求項１１】
ユーザに関連付けてプリセット情報を記憶した記憶部と、
超音波診断装置とデータ送受信可能に接続されると、前記記憶部に記憶されたプリセット情報を前記超音波診断装置に送信する処理部と、
を備えた超音波プローブ。
【発明の詳細な説明】
【技術分野】
【０００１】
本発明の実施形態は、超音波診断装置および超音波プローブに関する。
【背景技術】
【０００２】
超音波診断装置を用いて超音波画像を生成する際には、ユーザは、送信周波数やゲインなどの計測条件に関する設定項目、コントラストなどの画質条件に関する設定項目、および表示画面のユーザインターフェースに関する設定項目など、様々な設定項目を適切に設定する必要がある。ユーザは、これらの設定項目を自身の所望のとおりに適切に設定することができないと、超音波診断を目的どおりに実行することができず、あるいは所望の画質を満たす超音波画像を得ることができない。
【０００３】
これらの設定項目の設定を簡略化する方法として、超音波診断装置にあらかじめ、これらの設定項目の少なくとも１つの好ましい設定値により構成されるプリセット情報（以下、装置プリセットという）として記憶させておく方法が考えられる。この方法によれば、ユーザは、まず装置プリセットを利用して各設定項目を設定し、検査ごとに必要に応じて装置プリセットの設定値を見直せばよい。
【０００４】
しかし、最近、１つの超音波プローブを複数の超音波診断装置に任意に接続して利用することができる技術が開発されている。この種の技術を利用する場合、ユーザは超音波プローブを接続する超音波診断装置ごとに装置プリセットの見直しを行わなければならず、非常に煩雑である。
【先行技術文献】
【特許文献】
【０００５】
【特許文献１】特開２０１１−６７５４４号公報
【発明の概要】
【発明が解決しようとする課題】
【０００６】
本発明が解決しようとする課題は、超音波プローブを接続する超音波診断装置によらず、超音波プローブのユーザが容易に設定項目を設定することができるよう支援することである。
【課題を解決するための手段】
【０００７】
実施形態に係る超音波診断装置は、取得部と、設定部とを備える。取得部は、ユーザに関連付けて設定値により構成されるプリセット情報を記憶した記憶部を有する超音波プローブとデータ送受信可能に接続されると、超音波プローブの記憶部に記憶されたプリセット情報を取得する。設定部は、超音波プローブの記憶部から取得したプリセット情報にもとづいて自装置の設定項目の設定を行う。
【図面の簡単な説明】
【０００８】
【図１】第１の実施形態に係る超音波診断装置および超音波プローブの一構成例を示すブロック図。
【図２】（ａ）は超音波プローブと超音波診断装置の接続関係の一例を示す説明図、（ｂ）は超音波プローブと超音波診断装置の接続関係の他の例を示す説明図。
【図３】超音波診断装置の処理回路のプロセッサにより、超音波プローブを接続する超音波診断装置によらず、超音波プローブのユーザが容易に設定項目を設定することができるよう支援する際の手順の一例を示すフローチャート。
【図４】プローブプリセットを示す画像の一例を示す説明図。
【図５】プリセット情報ごとにアクセス権限が設定可能である場合のプリセットリストの一例を示す説明図。
【図６】プローブプリセットが被検体にも関連付けられるとともに、被検体の過去の検査データが被検体にさらに関連付けられる場合におけるプリセットリストの一例を示す説明図。
【図７】図６に示す例において、被検体の過去の検査データのリストを表示する様子の一例を示す説明図。
【図８】第２の実施形態に係る超音波診断装置および超音波プローブの一構成例を示すブロック図。
【図９】第３の実施形態に係る超音波診断装置および超音波プローブの一構成例を示すブロック図。
【発明を実施するための形態】
【０００９】
以下、図面を参照しながら、超音波診断装置および超音波プローブの実施形態について詳細に説明する。実施形態に係る超音波診断装置は、超音波プローブと有線または無線で接続可能なものであればよい。
【００１０】
（第１の実施形態）
図１は、第１の実施形態に係る超音波診断装置１０および超音波プローブ３０の一構成例を示すブロック図である。第１の実施形態に係る超音波診断装置１０と超音波プローブ３０とは、互いにデータ送受信可能に無線接続される。
【００１１】
超音波診断装置１０は、ディスプレイ２１、インターフェース２２、および超音波プローブ３０と接続されて用いることができる。なお、超音波診断装置１０は、図１に示すようにディスプレイ２１およびインターフェース２２を備えてもよいし、超音波プローブ３０を備えてもよい。超音波診断装置１０は、タブレット型やスマートフォン型であってもよい。
【００１２】
超音波診断装置１０は、図１に示すように、送受信回路１１、Ｂモード処理回路１２、ドプラ処理回路１３、画像生成回路１４、画像メモリ１５、記憶回路１７、通信回路１８、および処理回路１９を有する。
【００１３】
送受信回路１１は、送信回路および受信回路を有する。送受信回路１１は、処理回路１９に制御されて、超音波の送受信における送信指向性と受信指向性とを制御する。なお、図１には送受信回路１１が超音波診断装置１０に設けられる場合の例について示したが、送受信回路１１は超音波プローブ３０に設けられてもよいし、超音波診断装置１０と超音波プローブ３０の両方に設けられてもよい。
【００１４】
送信回路は、パルス発生器、送信遅延回路およびパルサ回路などを有し、超音波振動子に駆動信号を供給する。パルス発生器は、所定のレート周波数で、送信超音波を形成するためのレートパルスを繰り返し発生する。送信遅延回路は、超音波振動子から発生される超音波をビーム状に集束して送信指向性を決定するために必要な圧電振動子ごとの遅延時間を、パルス発生器が発生する各レートパルスに対し与える。また、パルサ回路は、レートパルスにもとづくタイミングで、超音波振動子に駆動パルスを印加する。送信遅延回路は、各レートパルスに対し与える遅延時間を変化させることで、圧電振動子面から送信される超音波ビームの送信方向を任意に調整する。
【００１５】
受信回路は、アンプ回路、Ａ／Ｄ変換器、加算器などを有し、超音波振動子が受信したエコー信号を受け、このエコー信号に対して各種処理を行なってエコーデータを生成する。アンプ回路は、エコー信号をチャンネルごとに増幅してゲイン補正処理を行なう。Ａ／Ｄ変換器は、ゲイン補正されたエコー信号をＡ／Ｄ変換し、デジタルデータに受信指向性を決定するのに必要な遅延時間を与える。加算器は、Ａ／Ｄ変換器によって処理されたエコー信号の加算処理を行なってエコーデータを生成する。加算器の加算処理により、エコー信号の受信指向性に応じた方向からの反射成分が強調される。
【００１６】
Ｂモード処理回路１２は、受信回路からエコーデータを受信し、対数増幅、包絡線検波処理などを行なって、信号強度が輝度の明るさで表現されるデータ（Ｂモードデータ）を生成する。ドプラ処理回路１３は、受信回路から受信したエコーデータから速度情報を周波数解析し、ドプラ効果による血流や組織、造影剤エコー成分を抽出し、平均速度、分散、パワーなどの移動態情報を多点について抽出したデータ（ドプラデータ）を生成する。
【００１７】
画像生成回路１４は、超音波プローブ３０が受信したエコー信号にもとづいて超音波画像データを生成する。たとえば、画像生成回路１４は、Ｂモード処理回路１２が生成した２次元のＢモードデータから反射波の強度を輝度にて表した２次元Ｂモード画像データを生成する。また、画像生成回路１４は、ドプラ処理回路１３が生成した２次元のドプラデータから移動態情報を表す平均速度画像、分散画像、パワー画像、または、これらの組み合わせ画像としての２次元のカラードプラ画像の画像データを生成する。
【００１８】
画像メモリ１５は、処理回路１９が生成した２次元超音波画像を記憶する記憶回路である。
【００１９】
記憶回路１７は、磁気的もしくは光学的記録媒体または半導体メモリなどの、プロセッサにより読み取り可能な記録媒体を含んだ構成を有する。記憶回路１７の記憶媒体内のプログラムおよびデータの一部または全部は電子ネットワークを介した通信によりダウンロードされてもよいし、光ディスクなどの可搬型記憶媒体を介して記憶回路１７に与えられてもよい。
【００２０】
記憶回路１７は、処理回路１９に制御されて、設定項目の少なくとも１つの好ましい設定値により構成されるプリセット情報（装置プリセット）を記憶する。また、記憶回路１７は、超音波診断装置１０が超音波プローブ３０とデータ送受信可能に接続されると、処理回路１９に制御されて、超音波プローブ３０から超音波プローブ３０の記憶回路３２に記憶されたプリセット情報（以下、プローブプリセットという）が取得されると、このプローブプリセットを記憶する。
【００２１】
なお、記憶回路１７に記憶される情報の一部または全部は、外部の記憶回路１０１や超音波プローブ３０の記憶回路３２などの記憶媒体の少なくとも１つに分散されて記憶され、あるいは複製されて記憶されてもよい。たとえば、記憶回路１７に記憶される装置プリセットの一部または全部は、外部の記憶回路１０１に記憶されてネットワーク１００を介して処理回路１９により取得されて記憶回路１７に格納されてもよい。
【００２２】
通信回路１８は、近距離無線通信用の種々のプロトコルを実装し、超音波プローブ３０の通信回路３３とネットワーク１００を介さずに直接にデータ送受信することができる。また、通信回路１８は、ネットワーク１００の形態に応じた種々の情報通信用プロトコルを実装する。通信回路１８は、この各種プロトコルに従って、超音波診断装置１０と、外部の記憶回路１０１や画像サーバ１０２などの他の機器とを接続する。この接続には電子ネットワークを介した電気的な接続などを適用することができる。ここで電子ネットワークとは、電気通信技術を利用した情報通信網全般を意味し、無線／有線の病院基幹ＬＡＮ（Local Area Network）やインターネット網のほか、電話通信回線網、光ファイバ通信ネットワーク、ケーブル通信ネットワークおよび衛星通信ネットワークなどを含む。
【００２３】
処理回路１９は、超音波診断装置１０を統括制御する機能を実現する。また、処理回路１９は、記憶回路１７に記憶されたプログラムを読み出して実行することにより、超音波プローブ３０を接続する超音波診断装置１０によらず、超音波プローブ３０のユーザが容易に設定項目を設定することができるよう支援するための処理を実行するプロセッサである。たとえば、超音波診断装置１０の処理回路１９は、超音波プローブ３０が超音波診断装置１０とデータ送受信可能に接続されると、超音波プローブ３０の記憶回路３２に記憶されたプローブプリセットを取得し、プローブプリセットにもとづいて設定項目を設定する。
【００２４】
ディスプレイ２１は、たとえば液晶ディスプレイやＯＬＥＤ（Organic Light Emitting Diode）ディスプレイなどの一般的な表示出力装置により構成され、処理回路１９の制御に従って各種情報を表示する。なお、超音波診断装置１０は、ディスプレイ２１およびインターフェース（入力インターフェース）２２の少なくとも一方を備えずともよい。
【００２５】
インターフェース（入力インターフェース）２２は、たとえばトラックボール、スイッチ、ボタン、マウス、キーボード、操作面へ触れることで入力操作を行なうタッチパッド、光学センサを用いた非接触入力回路、および音声入力回路等などの一般的な入力装置により実現され、ユーザの操作に対応した操作入力信号を処理回路１９に出力する。
【００２６】
また、超音波診断装置１０がタブレット型やスマートフォン型の超音波診断装置１０である場合は、ディスプレイ２１とインターフェース２２は一体としてタッチパネルを構成してもよい。
【００２７】
一方、超音波プローブ３０は、プローブ本体３１と、記憶回路３２と、通信回路３３と、処理回路３４とを有する。
【００２８】
プローブ本体３１は、音響レンズ、整合層、複数の超音波振動子（圧電振動子）により構成される振動子群、圧電振動子から後方への超音波の伝播を防止するバッキング材、およびこれらを内包するケースなどを有する。
【００２９】
超音波プローブ３０としては、スキャン方向（アジマス方向）に複数の超音波振動子が配列されるとともにレンズ方向（エレベーション方向）にも複数の素子が配列された２次元アレイプローブを用いることができる。この種の２次元アレイプローブとしては、たとえば１．５Ｄアレイプローブ、１．７５Ｄアレイプローブや、２Ｄアレイプローブなどを用いることができる。
【００３０】
超音波プローブ３０の記憶回路３２は、超音波プローブ３０の処理回路３４または接続された超音波診断装置１０の処理回路１９に制御されて、設定項目の少なくとも１つの好ましい設定値により構成されるプリセット情報（プローブプリセット）を、ユーザに関連付けて記憶する。プローブプリセットは、ユーザに関連付けて記憶される。また、記憶回路３２は、超音波プローブ３０が超音波診断装置１０とデータ送受信可能に接続されると、プローブプリセットを超音波診断装置１０から超音波診断装置１０の記憶回路１７に記憶された装置プリセットが取得されると、この超音波診断装置１０の記憶回路１７に記憶された装置プリセットを記憶する。
【００３１】
超音波プローブ３０の記憶回路３２は、超音波診断装置１０の記憶回路１７と同様に、磁気的もしくは光学的記録媒体または半導体メモリなどの、プロセッサにより読み取り可能な記録媒体を含んだ構成を有する。また、記憶回路３２の記憶媒体内のプログラムおよびデータの一部または全部は電子ネットワークを介した通信によりダウンロードされてもよいし、光ディスクなどの可搬型記憶媒体を介して記憶回路３２に与えられてもよい。また、記憶回路３２に記憶される情報の一部または全部は、外部の記憶回路１０１や超音波診断装置１０の記憶回路１７などの記憶媒体の少なくとも１つに分散されて記憶され、あるいは複製されて記憶されてもよい。たとえば、記憶回路３２に記憶されるプローブプリセットの一部または全部は、外部の記憶回路１０１に記憶されてネットワーク１００を介して処理回路３４により取得されて記憶回路３２に格納されてもよい。
【００３２】
超音波プローブ３０の記憶回路３２にユーザに関連付けて記憶されるプローブプリセットは、超音波診断装置１０の処理回路１９により登録や編集が行われてもよいし、ネットワーク１００を介して接続された外部の図示しないワークステーションなどの汎用の情報処理装置により登録や編集が行われてもよい。
【００３３】
超音波プローブ３０の通信回路３３の構成および作用は、超音波診断装置１０の通信回路１８の構成および作用と実質的に異ならないため、説明を省略する。
【００３４】
超音波プローブ３０の処理回路３４は、超音波プローブ３０を統括制御する機能を実現する。また、処理回路１９は、記憶回路３２に記憶されたプログラムを読み出して実行することにより、超音波プローブ３０を接続する超音波診断装置１０によらず、超音波プローブ３０のユーザが容易に設定項目を設定することができるよう支援するための処理を実行するプロセッサである。たとえば、超音波プローブ３０の処理回路３４は、超音波プローブ３０が超音波診断装置１０とデータ送受信可能に接続されると、記憶回路３２に記憶されたプローブプリセットを超音波診断装置１０に与える。
【００３５】
次に、超音波プローブ３０の記憶回路３２がユーザに関連付けて記憶するプローブプリセットについて詳細に説明する。
【００３６】
まず、プリセット情報（装置プリセットおよびプローブプリセット）における設定項目の一例について説明する。
【００３７】
プリセット情報は、たとえば、計測条件に関する設定項目、画質条件に関する設定項目、および表示画面のユーザインターフェースに関する設定項目の少なくとも１つの設定値を含む。
【００３８】
計測条件に関する設定項目としては、たとえば、検査部位、計測領域のほか、動作モード（Ｂモード、ＣＦＭモード、Ｄモード（ＰＷモード、ＣＷモード）など）、焦点深さ、視野深度、送信周波数、駆動波形（たとえば波形は正弦波である、ガウシアンであるなど）、ゲイン、駆動時間、超音波波数（たとえば波数は１波である、連続波であるなど）が挙げられる。
【００３９】
画質条件に関する設定項目は、画質を変更させる設定項目であり、たとえばコントラストなどがあげられる。
【００４０】
表示画面のユーザインターフェース情報に関する設定項目としては、たとえばディスプレイ２１の表示画面における表示すべきボタン画像、ボタン画像に割り当てられた機能、ボタン画像やウィンドウの表示位置、ソフトキーのレイアウトなどが挙げられる。
【００４１】
超音波診断を行なう場合には、ユーザは、たとえば被検体によらず、あるいは被検体や検査部位に応じて、これらの多数の設定項目に対して好ましいと考える設定値を適切に設定することにより、超音波診断を目的どおりに実行することができ、所望の画質を満たす超音波画像を得ることができる。
【００４２】
このため、超音波診断システムには、ユーザが多数の設定項目の設定を容易に行うことができるよう、装置プリセットをあらかじめ用意しておくものがある。
【００４３】
しかし、超音波診断装置１０と、超音波プローブ３０と、超音波プローブ３０を利用するユーザと、が種々の対応関係を取り得る場合、たとえ超音波診断装置１０がそれぞれに装置プリセットを用意していたとしても、ユーザは、設定項目を自身の所望のとおりに適切に設定するために、超音波プローブ３０を接続する超音波診断装置１０ごとに装置プリセットの見直しを行わなければならない。
【００４４】
図２（ａ）は超音波プローブ３０と超音波診断装置１０の接続関係の一例を示す説明図であり、（ｂ）は超音波プローブ３０と超音波診断装置１０の接続関係の他の例を示す説明図である。
【００４５】
図２（ａ）および（ｂ）に示すように、１または複数の超音波診断装置１０と１または複数の超音波プローブ３０とは、互いに任意に接続して利用することができる。なお、図２（ａ）および（ｂ）には、超音波診断装置１０、超音波プローブ３０およびユーザが１または３である場合の例を示したが、それぞれ２または４以上であってもよい。
【００４６】
たとえば図２（ａ）に示すように、超音波プローブ３０は、複数のユーザＡ、Ｂ、Ｃに共用されるとともに、複数の超音波プローブ１０Ａ、１０Ｂ、１０Ｃのいずれとも接続可能であってもよい。また、図２（ｂ）に示すように、超音波プローブ３０Ａ、３０Ｂ、および３０Ｃのそれぞれが一人のオーナーユーザＡ、Ｂ、およびＣに専用で利用されるワンユーザのプローブであってもよい。
【００４７】
また、図２（ｂ）に示すワンユーザの例においても、各超音波プローブ３０Ａ、３０Ｂ、および３０Ｃのそれぞれは、複数の超音波プローブ１０Ａ、１０Ｂ、１０Ｃのいずれとも接続可能であってもよい。
【００４８】
しかし、このように、超音波診断装置１０と、超音波プローブ３０と、超音波プローブ３０を利用するユーザと、が種々の対応関係を取り得る場合、ユーザは、超音波プローブ３０を接続する超音波診断装置１０ごとに装置プリセットの見直しを行わなければならず非常に不便である。
【００４９】
そこで、超音波プローブ３０の記憶回路３２は、ユーザの所望どおりに設定値を定めた設定項目により構成されるプリセットを、ユーザごとに関連付けてプローブプリセットとして記憶しておく。そして、超音波診断装置１０は、超音波プローブ３０の記憶回路３２から取得したプローブプリセットにもとづいて設定項目の設定を行うことにより、超音波プローブ３０を接続する超音波診断装置１０によらず、超音波プローブ３０のユーザが容易に設定項目を設定することができるよう支援する。
【００５０】
このため、超音波診断装置１０の処理回路１９のプロセッサは、は、図１に示すように、取得機能４１、画像生成機能４２、設定機能４３、および登録機能４４を実現する。これらの各機能はそれぞれプログラムの形態で記憶回路１７に記憶されている。
【００５１】
取得機能４１は、超音波診断装置１０と超音波プローブ３０とがデータ送受信可能に接続されると、超音波プローブ３０の記憶回路３２にユーザに関連付けて記憶されたプリセット情報（プローブプリセット）を取得する。
【００５２】
画像生成機能４２は、超音波プローブ３０から取得したプリセット情報（プローブプリセット）を示す画像を生成してディスプレイ２１に表示させる。
【００５３】
設定機能４３は、超音波プローブ３０から取得したプリセット情報（プローブプリセット）にもとづいて設定項目の設定を行う。
【００５４】
登録機能４４は、超音波プローブ３０の記憶回路３２に対する新たなプリセット情報の登録、および超音波プローブ３０の記憶回路３２に記憶されたプリセット情報の修正、の少なくとも一方を行なう。
【００５５】
また、取得機能４１と登録機能４４は、超音波診断装置１０と超音波プローブ３０とがデータ送受信可能に接続されると、協調して、プローブプリセットと装置プリセットとを同期させてもよい。プローブプリセットと装置プリセットとを同期させておくことにより、たとえば超音波プローブ３０の記憶回路３２が故障しても、超音波診断装置１０に同期されたプローブプリセットをいつでも利用することができる。
【００５６】
次に、本実施形態に係る超音波診断装置１０および超音波プローブ３０の動作の一例について説明する。
【００５７】
図３は、超音波診断装置１０の処理回路１９のプロセッサにより、超音波プローブ３０を接続する超音波診断装置１０によらず、超音波プローブ３０のユーザが容易に設定項目を設定することができるよう支援する際の手順の一例を示すフローチャートである。図３において、Ｓに数字を付した符号はフローチャートの各ステップを示す。
【００５８】
ステップＳ１において、超音波プローブ３０は、超音波診断装置１０とデータ送受信可能に接続される。
【００５９】
次に、ステップＳ２において、取得機能４１は、超音波プローブ３０の記憶回路３２にプローブプリセットが記憶されているか否かを判定する。プローブプリセットが記憶されている場合は（ステップＳ２のＹＥＳ）、取得機能４１は、プローブプリセットを取得する。
【００６０】
このとき、取得機能４１は、プローブプリセットを記憶回路１７に記憶させてもよい。また、このとき、プローブプリセットを記憶回路１７に記憶させるか否かをユーザに問合せる画像を表示し、インターフェース２２を介したユーザの指示に応じてプローブプリセットを記憶回路１７に記憶させてもよい。また、このとき、取得機能４１と登録機能４４は、協調して、プローブプリセットと装置プリセットとを同期させてもよい。
【００６１】
一方、プローブプリセットが記憶されていない場合は（ステップＳ２のＮＯ）、ステップＳ４に進む。
【００６２】
次に、ステップＳ４において、画像生成機能４２は、プローブプリセットを示す画像を生成してディスプレイ２１に表示させる。プローブプリセットを示す画像を表示することにより、ユーザは、容易に自身のプローブプリセットを確認することができる。
【００６３】
図４は、プローブプリセットを示す画像の一例を示す説明図である。ステップＳ３でプローブプリセットを取得した場合、画像生成機能４２は、図４に示すように、プローブプリセットを示す画像を超音波診断装置１０のディスプレイ２１に表示させる。図４には、プローブプリセットを示す画像として、プローブプリセットＰｅ、Ｐｆ、Ｐｇ、Ｐｈを一覧表示する画像（プリセットリスト）を表示する場合の例を示した。
【００６４】
また、この手順の前にすでにプローブプリセットを取得して記憶回路１７に記憶させていた場合は、このプローブプリセットを表示してもよい。また、画像生成機能４２は、図４に示すように、プローブプリセットのプリセットリストとともに装置プリセットのプリセットリストを表示してもよい。
【００６５】
図４には、複数のユーザＡ、Ｂ、Ｃのそれぞれに対して、複数のプローブプリセットが関連付けられる場合の例を示した。この場合、図４の上段に示すように、プローブプリセットを示す画像として、まずユーザの選択受け付け画像を表示させるとよい。この場合、ユーザの選択受け付け画像に対してインターフェース２２を介してユーザの選択が行われると、ユーザの選択受け付け画像から、選択されたユーザに関連付けられた複数のプローブプリセットの選択受け付け画像に遷移させるとよい（図４の下段参照）。
【００６６】
また、ユーザの選択受け付け画像は、図４の上段に示すような単純なリストでもよいし、後述する図５、図６、図７に示すようなタブでもよい。また、複数ユーザからの１ユーザの選択は、超音波診断装置１０または超音波プローブ３０に設けられた図示しない生体認証（たとえば指紋認証など）のデバイスを介して行われてもよい。
【００６７】
複数のユーザのそれぞれプローブプリセットを示す画像を表示することにより、ユーザは、複数のユーザにより共用される超音波プローブ３０を利用する場合であっても、容易に自身のプローブプリセットを確認することができる。
【００６８】
なお、超音波プローブ３０が一人のユーザの専用のプローブである場合（図２（ｂ）参照）、ユーザの選択受け付け画像としてのリスト表示（図４上段参照）やタブ表示（図５、６、７参照）は不要である。
【００６９】
次に、ステップＳ５において、設定機能４３は、プリセットリストに対するインターフェース２２を介したプリセットの選択を受け付ける。なお、ユーザに関連付けられたプローブプリセットが１つである場合は、ステップＳ５は省略される。
【００７０】
次に、ステップＳ６において、設定機能４３は、選択されたプリセットにもとづいて設定項目を設定する。
【００７１】
以上の手順により、超音波プローブ３０を接続する超音波診断装置１０によらず、超音波プローブ３０のユーザが容易に設定項目を設定することができるよう支援することができる。
【００７２】
本実施形態に係る超音波診断装置１０および超音波プローブ３０によれば、超音波プローブ３０を超音波診断装置１０に接続するだけで、接続先の超音波診断装置１０によらず、ユーザの所望のプリセット（プローブプリセット）が接続先の超音波診断装置１０に読み出されて、設定項目の設定に利用される。したがって、ユーザは、接続先の超音波診断装置１０によらず、装置プリセットを探す手間や、装置プリセットを見直す手間が不要となり、極めて容易かつ適切に設定項目を設定することができ、迅速に診断を開始することができる。
【００７３】
なお、ユーザは、超音波プローブ３０の記憶回路３２の１または複数のプローブプリセットの１つを、事前にデフォルトプリセットとして記憶させてもよい。デフォルトプリセットがある場合、処理回路１９は、ユーザが他のプリセットに優先して容易にデフォルトプリセットを選択することができるように動作する。
【００７４】
たとえば、デフォルトプリセットがある場合は、ステップＳ４において、画像生成機能４２は、プリセットリストにおいて、デフォルトプリセットを他のプローブプリセットに比べて強調表示してもよい。また、デフォルトプリセットがある場合は、ステップＳ４およびＳ５を省略し、ステップＳ６において設定機能４３は、デフォルトプリセットにもとづいて設定項目を設定してもよい。また、この場合、ステップＳ６において画像生成機能４２がデフォルトプリセットにもとづいて設定項目を設定してもよいか否かをユーザに問い合わせるボタンなどの画像を表示し、当該問合せ画像を確認したユーザによりインターフェース２２を介してデフォルトプリセットにもとづいて設定項目を設定してもよい旨の指示があってから、設定機能４３がデフォルトプリセットにもとづいて設定項目を設定してもよい。
【００７５】
図５は、プリセット情報ごとにアクセス権限が設定可能である場合のプリセットリストの一例を示す説明図である。
【００７６】
図５に示すように、装置プリセットおよびプローブプリセットは、ドラッグアンドドロップなどの簡単な入力操作により、記憶回路１７と記憶回路３２との間をコピーまたは移動させることや、削除することができる。
【００７７】
簡単な入力操作により移動や削除を可能とする一方で、設定機能４３は、装置プリセットおよびプローブプリセットのそれぞれについて、読み取り、書き込み等のアクセス権限を設定しておくとよい。図５には、プリセット情報ごとにコピー（同期）、移動、削除の可否が設定可能であるとともに、当該可否の情報がカギの画像によって示される場合の例を示した。プリセット情報ごとにアクセス権限を設定することにより、ユーザは、たとえば自身が重要だと考えるデフォルトプリセットなどのプリセットを誤って上書きし、あるいは削除してしまうことにより生じる不都合を未然に防ぐことができる。
【００７８】
たとえば、ユーザは、カギの画像をクリックまたはタップすることによって、当該可否を切り替えることができる。また、設定機能４３は、この可否の切替え要求に際してパスワードや生体認証等のユーザ認証を要求してもよい。
【００７９】
図６は、プローブプリセットが被検体にも関連付けられるとともに、被検体の過去の検査データが被検体にさらに関連付けられる場合におけるプリセットリストの一例を示す説明図である。また、図７は、図６に示す例において、被検体の過去の検査データのリストを表示する様子の一例を示す説明図である。
【００８０】
図６に示すように、ユーザに関連付けられたプローブプリセットは、さらに、被検体（たとえば患者）に関連付けられてもよい。超音波プローブ３０の記憶回路３２がユーザごとに複数の被検体のそれぞれに関連付けられたプローブプリセットを記憶する場合、画像生成機能４２は、ユーザの選択受け付け画像と被検体の選択受付画像とを階層的に表示するとよい（図６参照）。プローブプリセットを被検体に関連付けておくことにより、ユーザは、被検体に応じた設定項目の設定が容易に可能となる。
【００８１】
また、超音波プローブ３０の記憶回路３２は、被検体に対してさらに、被検体の過去の検査データを関連付けて記憶してもよい。過去の検査データには、たとえば過去の超音波画像のほか、他のモダリティで生成された画像や所見などを含むデータなどが含まれる。超音波プローブ３０は、これらの過去の検査データを超音波診断装置１０から登録機能４４を介して取得してもよいし、ネットワーク１００を介して画像サーバ１０２から取得してもよい。
【００８２】
この場合、取得機能４１は、プローブプリセットとともに過去の検査データを取得し、画像生成機能４２は、被検体に関連付けられた過去の検査データを表示させるための画像（図６および図７の「診断データリスト」ボタン参照）を生成してディスプレイ２１に表示するとよい。
【００８３】
インターフェース２２を介してユーザにより過去の検査データを表示させるための画像が選択されると、画像生成機能４２は、過去の検査データを示す画像を生成してディスプレイ２１に表示させる。図７の左側には、過去の検査データをリスト表示する場合の一例を示した（「過去診断データ」参照）。リスト表示される画像としては、たとえば過去の超音波画像のサムネイル画像などを用いることができる。リスト表示された画像の１つが選択されると、選択された画像（たとえば「ｄａｔａＡ」など）に対応する情報がたとえば図７の左側の領域に表示される。
【００８４】
過去の検査データを表示することにより、ユーザは、被検体の検査の際に過去の検査データを容易に参照することができ、効率よく検査を行うことができる。
【００８５】
なお、設定機能４３は、過去の検査データに対して、保存の際に利用した超音波プローブ３０や超音波診断装置１０でのみ閲覧可能なように閲覧制限をかけておくことにより、情報の漏洩に配慮するとよい。
【００８６】
また、超音波プローブ３０の記憶回路３２は、ユーザごとに複数の被検体のそれぞれに関連付けられたプリセット情報を記憶するとともに（図６、図７参照）、複数の被検体に関連付けられたプローブプリセットのそれぞれに対して、ユーザが行なう検査の順序の情報を関連付けて記憶してもよい。この場合、取得機能４１は、超音波プローブ３０から検査の順序の情報が関連付けられたプローブプリセットを取得することになる。この場合、設定機能４３は、検査の順序の情報にもとづいて自装置の設定項目の設定を行うことができる。
【００８７】
たとえば、ユーザは、病院内の複数の被検体を所定の順序で回診する場合や、複数の被検体を所定の順序で訪問診察する場合、あるいは外来の予約患者を所定の順序で診察する場合、など、複数の被検体を所定の順序で診察する場合がある。この場合、ユーザは、診察に向かう前に、あらかじめ利用する１つの超音波プローブ３０の記憶回路３２に対して、超音波診断装置１０の処理回路１９により、または外部の図示しない情報処理装置により、各被検体に対応するデフォルトプリセットを設定しておくとともに、被検体の検査の順序の情報を各プローブプリセットに関連付けておいてもよい。
【００８８】
この場合、検査が終了するごとに、次に診察する被検体に対応するプローブプリセットのプリセットリストを表示させるとよい。また、被検体ごとにデフォルトプリセットが設定されていれば、検査が終了するごとに、プリセットリストの表示を経ずに自動的に設定項目の設定を切り替えてもよい。
【００８９】
検査の終了判定は、たとえば超音波診断装置１０のインターフェース２２を介した検査終了の旨の入力を受け付けることにより行ってもよいし、超音波診断装置１０と超音波プローブ３０との接続の解除によって行ってもよい。また、終了判定結果にもとづいて超音波プローブ３０の記憶回路３２に検査の進行状況を示すフラグを設け、当該フラグを参照することで次に診察する被検体に対応するプローブプリセットのプリセットリストを表示させ、あるいはデフォルトプリセットによる自動的な設定項目の設定切り替えを行ってもよい。
【００９０】
被検体の検査の順序の情報を各プローブプリセットに関連付けておき、設定機能４３が検査の順序に応じたプローブプリセットのプリセットリストの表示あるいはデフォルトプリセットによる自動的な設定項目の設定切り替えを行なうことにより、ユーザは、極めて容易かつ適切に被検体ごとの設定項目の設定を行うことができる。
【００９１】
（第２の実施形態）
図８は、第２の実施形態に係る超音波診断装置１０および超音波プローブ３０の一構成例を示すブロック図である。第２の実施形態に係る超音波プローブ３０は、ケーブル５１およびコネクタ５２を介して、超音波診断装置１０と着脱自在に接続される点で第１の実施形態に係る超音波診断装置１０および超音波プローブ３０と異なる。他の構成および作用については図１に示す超音波診断装置１０および超音波プローブ３０と実質的に異ならないため、同じ構成には同一符号を付して説明を省略する。
【００９２】
なお、コネクタ５２が超音波プローブ３０の筐体に一体的に設けられている場合は、ケーブル５１は不要である。
【００９３】
図８に示すように、コネクタ５２には、記憶回路５３が設けられる。この記憶回路５３は、第１の実施形態に係る超音波プローブ３０の記憶回路３２と同様の構成および作用を有する。第２の実施形態においては、超音波プローブ３０は記憶回路３２を備えずともよい。コネクタ５２に記憶回路５３が設けられ、この記憶回路５３にプローブプリセットがユーザに関連付けて記憶される場合にも、第１の実施形態に係る超音波診断装置１０および超音波プローブ３０と同様の効果を奏する。
【００９４】
（第３の実施形態）
図９は、第３の実施形態に係る超音波診断装置１０および超音波プローブ３０の一構成例を示すブロック図である。第３の実施形態に係る超音波プローブ３０は、ケーブル６１および通信アダプタ６２の通信回路６３を介して超音波診断装置１０と無線接続される点で第１の実施形態に係る超音波診断装置１０および超音波プローブ３０と異なる。他の構成および作用については図１に示す超音波診断装置１０および超音波プローブ３０と実質的に異ならないため、同じ構成には同一符号を付して説明を省略する。
【００９５】
なお、通信アダプタ６２が超音波プローブ３０の筐体とプラグ等により接続される場合は、ケーブル６１は不要である。
【００９６】
図９に示すように、通信アダプタ６２には、通信回路６３および記憶回路６４が設けられる。この通信回路６３および記憶回路６４は、第１の実施形態に係る超音波プローブ３０の通信回路３３および記憶回路３２とそれぞれ同様の構成および作用を有する。第３の実施形態においては、超音波プローブ３０は記憶回路３２および通信回路３３を備えずともよい。通信アダプタ６２に通信回路６３および記憶回路６４が設けられ、通信アダプタ６２の記憶回路６４にプローブプリセットがユーザに関連付けて記憶される場合にも、第１の実施形態に係る超音波診断装置１０および超音波プローブ３０と同様の効果を奏する。
【００９７】
以上説明した少なくとも１つの実施形態によれば、超音波プローブを接続する超音波診断装置によらず、超音波プローブのユーザが容易に設定項目を設定するよう支援することができる。
【００９８】
なお、本実施形態における処理回路１９の取得機能４１、画像生成機能４２、設定機能４３および登録機能４４は、それぞれ特許請求の範囲における取得部、画像生成部、設定部および登録部の一例である。
【００９９】
なお、上記実施形態において、「プロセッサ」という文言は、たとえば、専用または汎用のＣＰＵ（Central Processing Unit）、ＧＰＵ（Graphics Processing Unit）、または、特定用途向け集積回路（Application Specific Integrated Circuit：ＡＳＩＣ）、プログラマブル論理デバイス（たとえば、単純プログラマブル論理デバイス（Simple Programmable Logic Device：ＳＰＬＤ）、複合プログラマブル論理デバイス（Complex Programmable Logic Device：ＣＰＬＤ）、およびＦＰＧＡ）等の回路を意味するものとする。プロセッサは、記憶媒体に保存されたプログラムを読み出して実行することにより、各種機能を実現する。
【０１００】
また、上記実施形態では処理回路の単一のプロセッサが各機能を実現する場合の例について示したが、複数の独立したプロセッサを組み合わせて処理回路を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
１０、１０Ａ、１０Ｂ、１０Ｃ  超音波診断装置
１７  超音波診断装置の記憶回路
２１  ディスプレイ
２２  インターフェース
３０、３０Ａ、３０Ｂ、３０Ｃ  超音波プローブ
３２  超音波プローブの記憶回路
４１  取得機能
４２  画像生成機能
４３  設定機能
４４  登録機能
【図１】
2019103567.tif 000003
【図２】
2019103567.tif 000004
【図３】
2019103567.tif 000005
【図４】
2019103567.tif 000006
【図５】
2019103567.tif 000007
【図６】
2019103567.tif 000008
【図７】
2019103567.tif 000009
【図８】
2019103567.tif 000010
【図９】
2019103567.tif 000011